(57)【特許請求の範囲】
【請求項１】
入力する少なくとも一つのＨＤＴＶ映像素材と複数のＳＤＴＶ映像素材とを切替え選択してＨＤＴＶ信号により出力する場合、前記ＳＤＴＶ映像素材を出力する際にアップコンバートにより画面の両袖、左側、および右側のいずれかに生じる無信号帯に挿入画像を合成出力する両袖補完方法において、入力する前記ＳＤＴＶ映像素材をアップコンバートしてＨＤＴＶに適合化させた後に選択し、選択された少なくとも一つのアップコンバートされたＳＤＴＶ映像素材のみに対して別に入力し前記無信号帯を埋める両袖映像素材を合成することを特徴とするＨＤＴＶにおける両袖補完方法。
【請求項２】
請求項１において、ＨＤＴＶに適合化した後のＳＤＴＶ映像素材を、前記ＨＤＴＶ映像素材と共に切替え選択し、アップコンバートされたＳＤＴＶ映像素材を選択した場合のみ選択した映像信号に対して、別に入力する左右部分の無信号帯を埋める両袖映像素材を合成することを特徴とするＨＤＴＶにおける両袖補完方法。
【請求項３】
請求項２において、切替え選択した際に切替え選択情報を発生し、アップコンバートされたＳＤＴＶ映像素材を選択した際に、前記切替え選択情報に従って両袖映像素材との合成処理を実行することを特徴とするＨＤＴＶにおける両袖補完方法。
【請求項４】
入力するＨＤＴＶ映像素材とアップコンバートしてＨＤＴＶに適合化した複数のＳＤＴＶ映像素材とを選択して出力する映像スイッチャにおいて、入力するアップコンバートされたＳＤＴＶ映像素材を選択した後、選択したアップコンバートされたＳＤＴＶ映像素材に対して、アップコンバートされたＳＤＴＶ映像の両袖、左側、および右側のいずれかに生じる無信号帯に、別に入力する両袖映像素材を合成して出力する両袖補完装置を備えることを特徴とするＨＤＴＶにおける映像スイッチャ。
【請求項５】
入力するＨＤＴＶ映像素材とアップコンバートしてＨＤＴＶに適合化した複数のＳＤＴＶ映像素材とを選択して出力する映像スイッチャにおいて、入力する前記ＨＤＴＶ映像素材とアップコンバートされた前記ＳＤＴＶ映像素材とを選択する映像スイッチ、およびこの映像スイッチがアップコンバートされたＳＤＴＶ映像素材を選択した場合に選択したアップコンバートされたＳＤＴＶ映像素材に対してアップコンバートされたＳＤＴＶ映像の両袖、左側、および右側のいずれかに生じる無信号帯に、別に入力する両袖映像素材を合成して出力する両袖補完装置を備えることを特徴とするＨＤＴＶにおける映像スイッチャ。
【請求項６】
請求項５において、前記映像スイッチは選択される映像素材がＨＤＴＶ映像素材かＳＤＴＶ映像素材かを示すスイッチ情報を前記両袖補完装置へ通知し、かつ両袖補完装置は前記映像スイッチから受けるスイッチ情報に従って両袖映像素材との合成の是非を決定することを特徴とするＨＤＴＶにおける映像スイッチャ。
【発明の詳細な説明】
【０００１】
【発明の属する技術分野】
本発明は、入力するＨＤＴＶ（Ｈｉｇｈ  Ｄｅｆｉｎｉｔｉｏｎ  Ｔｅｌｅｖｉｓｉｏｎ）映像素材とＳＤＴＶ（Ｓｔａｎｄａｒｄ  Ｄｅｆｉｎｉｔｉｏｎ  Ｔｅｌｅｖｉｓｉｏｎ）映像素材とを切替え選択してＨＤＴＶ画面を構成して出力する場合、ＨＤＴＶに適合化するようにアップコンバートされたＳＤＴＶ映像を出力する際に画面の左右の両側または片側に黒色により生じる無信号帯に両袖映像素材による画像を合成する両袖補完方法、および入力するＨＤＴＶ映像信号とアップコンバートしてＨＤＴＶに適合化したＳＤＴＶ映像信号とを切替え選択して出力する映像スイッチャに関し、特に、システム全体の構成を簡素化できるＨＤＴＶにおける両袖補完方法およびその映像スイッチャに関する。
【０００２】
【従来の技術】
ＨＤＴＶ映像素材を出力する比率１６対９の画面に、４対３の画面比率を有するＳＤＴＶ映像素材を出力する場合、図２（Ａ）に示される例では、ＨＤＴＶ画面１００の中央部分に表示されるアップコンバートされたＳＤＴＶ映像画面であるアップコンバート画面１０１の左右の両袖部分に無信号による黒色の帯状部分、両袖無信号帯１０２を生じる。同様に、図２（Ｂ）、（Ｃ）に示される例では、ＨＤＴＶ画面１００の左側部分または右側部分に表示されるアップコンバート画面１０３、１０５の残りの袖部分に無信号による黒色の帯状部分である無信号帯１０４、１０６を生じる。従って、この両袖無信号帯１０２または無信号帯１０４、１０６の部分に番組のタイトルなどの映像画面を嵌め込み合成し、見苦しさを軽減させる機能として両袖補完と呼ばれる機能がある。
【０００３】
従来、この種の両袖補完方法としては、アップコンバートしてＨＤＴＶに適合化したＳＤＴＶ映像素材を出力する際に生じる無信号帯に映像を補完するアップコンバータ（ＵＣ）が用いられている。
【０００４】
次に、図３に図２（Ａ）を併せ参照して従来の両袖補完方法について説明する。
【０００５】
例えば、図３に示されるアップコンバータ１２０では、ＳＤＴＶ映像素材をアップコンバートするＵＣ装置１２１と、ＵＣ装置１２１の出力とＨＤＴＶ映像により両袖の補完を行なうＨＤ両袖映像素材とを入力して合成する両袖補完部１２２とが備えられている。両袖補完部１２２にはキー発生装置１２３および映像合成装置１２４が設けられている。キー発生装置１２３は、図２（Ａ）におけるアップコンバート画面１０１を暗く、両袖無信号帯１０２を明るくするキー信号Ｋを発生して映像合成装置１２４へ送出する。映像合成装置１２４は、アップコンバートされたＳＤＴＶ映像素材ＡとＨＤ両袖映像素材Ｂとを入力し、キー信号Ｋにより暗くされるアップコンバート画面１０１の部分にアップコンバートされたＳＤＴＶ映像素材Ａを、また明るくされた両袖無信号帯１０２の部分にＨＤ両袖映像素材Ｂをそれぞれ嵌め込み合成してＨＤＴＶ画面１００への表示を可能な信号として出力する。
【０００６】
次に、図４を参照して図３のアップコンバータ１２０を用いた従来の放送スタジオのサブシステムについて説明する。
【０００７】
図４に示される例では、一つのＨＤＴＶ映像素材と複数のアップコンバータ１２０それぞれによりＨＤにアップコンバートされたＳＤＴＶ映像素材にＨＤ両袖映像素材を合成した複数のＴＶ映像素材とが映像スイッチャ１１０に入力している。映像スイッチャ１１０は、ＨＤＴＶ映像素材とＨＤにアップコンバートされＨＤ両袖映像素材を合成したＳＤＴＶ映像素材とから一つまたは少数の映像素材を切替えて選択し、映像ミキサー１１１を介して出力している。
【０００８】
【発明が解決しようとする課題】
上述した従来の両袖補完方法では、放送スタジオのサブシステムとして、設備構成の規模が大きいので、簡素化が望まれるという問題点がある。
【０００９】
その理由は、入力される複数のＳＤＴＶ映像素材それぞれに両袖補間機能を有するアップコンバータを必要とするのみならず、各アップコンバータに両袖映像素材を分配するための設備が必要となるからである。
【００１０】
本発明の課題は、このような問題点を解決し、放送スタジオのサブシステムの構成を簡素化できるＨＤＴＶにおける両袖補完方法およびその映像スイッチャを提供することである。
【００１１】
【課題を解決するための手段】
本発明によるＨＤＴＶにおける両袖補完方法は、入力する少なくとも一つのＨＤＴＶ映像素材と複数のＳＤＴＶ映像素材とを切替え選択してＨＤＴＶ信号により出力する場合、前記ＳＤＴＶ映像素材を出力する際にアップコンバートにより画面の両袖、左側、および右側のいずれかに生じる無信号帯に挿入画像を合成出力する両袖補完方法において、入力する前記ＳＤＴＶ映像素材をアップコンバートしてＨＤＴＶに適合化させた後に選択し、選択された少なくとも一つのアップコンバートされたＳＤＴＶ映像素材のみに対して別に入力し前記無信号帯を埋める両袖映像素材による映像信号を合成している。更に、上述した両袖補完方法は、ＨＤＴＶに適合化した後のＳＤＴＶ映像素材を、前記ＨＤＴＶ映像素材と共に切替え選択し、アップコンバートされたＳＤＴＶ映像素材を選択した場合のみ選択した映像素材と、別に入力する左右部分の無信号帯を埋める両袖映像素材とを合成することが望ましい。
【００１２】
また、上述した方法に従って設けられるＨＤＴＶにおける映像スイッチャの具体的な手段の一つは、入力するＨＤＴＶ映像素材とアップコンバートしてＨＤＴＶに適合化した複数のＳＤＴＶ映像素材とを選択して出力する映像スイッチャにおいて、入力するアップコンバートされたＳＤＴＶ映像素材を選択した後、選択したアップコンバートされたＳＤＴＶ映像素材に対して、アップコンバートされたＳＤＴＶ映像の両袖、左側、および右側のいずれかに生じる無信号帯に別に入力する両袖映像素材を合成する両袖補完装置を備えることである。また、入力する前記ＨＤＴＶ映像素材とアップコンバートされた前記ＳＤＴＶ映像素材とを選択する映像スイッチ、およびこの映像スイッチがアップコンバートされたＳＤＴＶ映像素材を選択した場合に選択したアップコンバートされたＳＤＴＶ映像素材に対してアップコンバートされたＳＤＴＶ映像の両袖、左側、および右側のいずれかに生じる無信号帯に別に入力する両袖映像素材を合成する両袖補完装置を備える映像スイッチャであることが望ましい。
【００１３】
この構成により、両袖補間装置は映像ミキサーに入力する映像素材の数のみを設備すればよい。
【００１４】
【発明の実施の形態】
次に、本発明の実施の形態について図面を参照して説明する。
【００１５】
図１は本発明の実施の一形態を示す機能ブロック図である。図１に示された映像スイッチャ１０は、映像スイッチ１１、両袖補完装置１２および映像ミキサー１３により構成されており、一般のＳＤ方式によるＴＶ映像素材（以後、ＳＤＴＶ映像素材と略称する）は、従来の図３に示されたＵＣ装置１２１に相当するアップコンバータ２０によりＨＤＴＶに適合したＨＤにアップコンバートされたＳＤＴＶ映像素材を映像スイッチャ１０に入力している。
【００１６】
すなわち、従来と相違する点は、複数のアップコンバータ２０に両袖補完部は含まれておらず、一つの映像スイッチャ１０に両袖補完装置１２が含まれていることである。両袖補完装置１２には、映像ミキサー１３における映像素材入力数の分だけ、キー発生部１４および映像合成部１５の組合わせが含まれている。
【００１７】
次に、図１に示される映像スイッチャ１０について説明する。
【００１８】
映像スイッチ１１は、ＨＤＴＶ映像素材と、ＳＤＴＶ映像素材からアップコンバータ２０を介してＨＤＴＶに適合した映像素材に変換した複数のＨＤにアップコンバートされたＳＤＴＶ映像素材とを入力し、放送スタジオの調整者の制御を受け、ＨＤＴＶ画面の合成出力用に少数の素材を選択出力している。以後、説明の便宜のため、図２（Ａ）に示される両袖無信号帯の場合について説明するが、図２（Ｂ）または図２（Ｃ）に示されるような片側の場合も同様に両袖映像素材またはその一部を用いて映像の補完を実現することができる。
【００１９】
両袖補完装置１２では、キー発生部１４が、図２（Ａ）におけるアップコンバート画面１０１を暗く、両袖無信号帯１０２を明るくするキー信号を発生して映像合成部１５へ送出する。映像合成部１５は、映像スイッチ１１の出力それぞれに対応して設けられ、映像スイッチ１１から出力されるＨＤにアップコンバートされているＳＤＴＶ映像素材またはＨＤＴＶ映像素材を入力する。一方で映像合成部１５は、ＨＤＴＶ方式による両袖映像素材を入力する。
【００２０】
また、両袖補完装置１２は、放送スタジオの調整者の制御を受け、映像スイッチ１１からＨＤＴＶ映像素材を受けた際には受けたままの映像信号を映像ミキサー１３へ送出する一方、ＨＤにアップコンバートされたＳＤＴＶ映像素材を受ける場合にはキー発生部１４からキー信号を更に受けて、キー信号により暗くされるアップコンバート画面の部分にＨＤにアップコンバートされたＳＤＴＶ映像素材を、また明るくされた両袖無信号帯の部分にＨＤによる両袖映像素材をそれぞれ嵌め込み合成して映像ミキサー１３へ出力する。
【００２１】
上述したような構成により、映像スイッチで映像スイッチャへの入力素材を選択した後に両袖補完を行なうので、映像合成する両袖映像素材の供給が一つの両袖補完装置に限定され、かつ両袖映像素材を映像合成する合成回路台数を低減することができる。
【００２２】
また、映像スイッチに接続される入力が、ＨＤＴＶ映像素材およびアップコンバートされたＳＤＴＶ映像素材の何れかに固定されている場合には、映像スイッチにスイッチの入力素材情報をスイッチ情報として両袖補完装置へ出力するように設定することができる。この場合、映像スイッチのみが放送スタジオの調整者から制御を受けて作動した映像スイッチのスイッチ情報を両袖補完装置へ送出するので、両袖補完装置が受けたスイッチ情報に基づいて内蔵する映像合成部を自動的に制御して入力する映像素材に両袖映像素材を合成することができる。すなわち、両袖補完装置では、映像スイッチから受けるスイッチ情報に従って両袖映像素材との合成の是非を決定することができる。
【００２３】
すなわち、上述したスイッチ情報は、映像スイッチにおいてＨＤＴＶ映像素材が選択された際には両袖補間装置での合成はなく、映像スイッチにおいてアップコンバートされたＳＤＴＶ映像素材が選択された際には両袖補間装置での合成が行なわれるように、両袖補間装置を制御する情報である。
【００２４】
【発明の効果】
以上説明したように本発明によれば、放送スタジオのサブシステムの構成を簡素化できるという効果を得ることができる。
【００２５】
その理由は、映像スイッチャに入力される複数のＳＤＴＶ映像素材それぞれに対応して設けられていた両袖補完機能を、映像スイッチにより切替え選択され少数に低減された出力側に両袖補完装置として設けたからである。この結果、両袖補完のための両袖映像素材も一つの映像スイッチャに送付すればよいので、複数のアップコンバータそれぞれに分配することが不要になるという効果も得られる。
【図面の簡単な説明】
【図１】本発明の実施の一形態を示す機能ブロック図である。
【図２】ＨＤＴＶ映像画面の両袖無信号帯を示す説明図（Ａ）、右側に無信号帯を示す説明図（Ｂ）、および左側に無信号帯を示す説明図（Ｃ）である。
【図３】従来のアップコンバータの一例を示す機能ブロック図である。
【図４】従来の一例を示すシステム接続図である。
【符号の説明】
１０    映像スイッチャ
１１    映像スイッチ
１２    両袖補完装置
１３    映像ミキサー
１４    キー発生部
１５    映像合成部
２０    アップコンバータ
【図１】
0003597106.tif 000002
【図２】
0003597106.tif 000003
【図３】
0003597106.tif 000004
【図４】
0003597106.tif 000005